(57)【特許請求の範囲】
【請求項１】
無線通信システムにおいて上りリンク送信出力を制御する方法であって、
上りリンクキャリア周波数および上りリンク帯域幅を含む制御情報を受信するステップと、
複数の下りリンクキャリアのうちどの下りリンクキャリアを、上りリンクの送信に連関したパスロスを測定するためのパスロス基準下りリンクキャリアとして適用するかを指示するパスロス基準情報を受信するステップと、
前記パスロス基準下りリンクキャリアのパスロスを測定するステップと、
送信出力制御命令を受信するステップと、
前記送信出力制御命令および測定された前記パスロスに基づいて、上りリンク送信出力を決定するステップと、
決定された前記上りリンク送信出力を用いてデータを送信するステップと、を含み、
前記パスロス基準情報は、予め決められた下りリンクキャリアを指示する第１情報と、上りリンクキャリアに連結された下りリンクキャリアを指示する第２情報とのうちのいずれかを含む
ことを特徴とする上りリンク送信出力制御方法。
【請求項２】
前記制御情報は、前記上りリンクキャリアと前記下りリンクキャリアとの連結情報をさらに含む
ことを特徴とする請求項１に記載の上りリンク送信出力制御方法。
【請求項３】
無線通信システムにおいて上りリンク送信出力を制御する方法であって、
上りリンクキャリア周波数および上りリンク帯域幅を含む制御情報を送信するステップと、
複数の下りリンクキャリアのうちどの下りリンクキャリアを、上りリンクの送信に連関したパスロスを測定するためのパスロス基準下りリンクキャリアとして適用するかを指示するパスロス基準情報を送信するステップと、
送信出力制御命令を送信するステップと、
上りリンク送信出力を用いてデータを受信するステップと、を含み、
前記上りリンク送信出力は、前記送信出力制御命令および前記パスロスに基づいて決定され、
前記パスロス基準情報は、予め決められた下りリンクキャリアを指示する第１情報と、上りリンクキャリアに連結された下りリンクキャリアを指示する第２情報とのうちのいずれかを含む
ことを特徴とする上りリンク送信出力制御方法。
【請求項４】
前記制御情報は、前記上りリンクキャリアと前記下りリンクキャリアとの連結情報をさらに含む
ことを特徴とする請求項３に記載の上りリンク送信出力制御方法。
【請求項５】
無線通信システムにおいて上りリンク送信出力を制御する端末であって、
基地局と信号を送受信する送受信部と、
上りリンクキャリア周波数および上りリンク帯域幅を含む制御情報を受信し、
複数の下りリンクキャリアのうちどの下りリンクキャリアを、上りリンクの送信に連関したパスロスを測定するためのパスロス基準下りリンクキャリアとして適用するかを指示するパスロス基準情報を受信し、
前記パスロス基準下りリンクキャリアのパスロスを測定し、
送信出力制御命令を受信し、
前記送信出力制御命令および測定された前記パスロスに基づいて、上りリンク送信出力を決定し、
決定された前記上りリンク送信出力を用いてデータを送信するように制御する制御部と、を含み、
前記パスロス基準情報は、予め決められた下りリンクキャリアを指示する第１情報と、上りリンクキャリアに連結された下りリンクキャリアを指示する第２情報とのうちのいずれかを含む
ことを特徴とする端末。
【請求項６】
前記制御情報は、前記上りリンクキャリアと前記下りリンクキャリアとの連結情報をさらに含む
ことを特徴とする請求項５に記載の端末。
【請求項７】
無線通信システムにおいて上りリンク送信出力を制御する基地局であって、
端末と信号を送受信する送受信部と、
上りリンクキャリア周波数および上りリンク帯域幅を含む制御情報を送信し、
複数の下りリンクキャリアのうちどの下りリンクキャリアを、上りリンクの送信に連関したパスロスを測定するためのパスロス基準下りリンクキャリアとして適用するかを指示するパスロス基準情報を送信し、
送信出力制御命令を送信し、
上りリンク送信出力を用いてデータを受信するように制御する制御部と、を含み、
前記上りリンク送信出力は、前記送信出力制御命令および前記パスロスに基づいて決定され、
前記パスロス基準情報は、予め決められた下りリンクキャリアを指示する第１情報と、上りリンクキャリアに連結された下りリンクキャリアを指示する第２情報とのうちのいずれかを含む
ことを特徴とする基地局。
【請求項８】
前記制御情報は、前記上りリンクキャリアと前記下りリンクキャリアとの連結情報をさらに含む
ことを特徴とする請求項７に記載の基地局。
【発明の詳細な説明】
【技術分野】
【０００１】
本発明は、移動通信システムで複数の上りリンクキャリアがアグリゲーションされた端末の上りリンク（Ｕｐｌｉｎｋ）送信（Ｔｒａｎｓｍｉｓｓｉｏｎ）出力（Ｐｏｗｅｒ）を効率的に制御する方法及び装置に関する。
【背景技術】
【０００２】
一般的に移動通信システムは、ユーザの移動性を確保しながら通信を提供するために開発された。このような移動通信システムは、技術の飛躍的な発展により、音声通信はもちろん高速のデータ通信サービスを提供することができる段階に至った。
近年、次世代移動通信システムの１つとして、３ＧＰＰ（Ｔｈｉｒｄ Ｇｅｎｅｒａｔｏｉｎ Ｐａｒｔｎｅｒｓｈｉｐ Ｐｒｏｊｅｃｔ）においてＬＴＥ（Ｌｏｎｇ  Ｔｅｒｍ  Ｅｖｏｌｕｔｉｏｎ）に対する規格作業が進められている。ＬＴＥとは、２０１０年頃をめどに商用化し、現在提供されているデータ送信率よりも高い、最大１００Ｍｂｐｓ程度の送信速度を有する高速パケットベース通信を実現する技術である。このために、様々な方案が議論されているが、例えば、ネットワークの構造を簡単にして通信路上に位置するノードの数を減らす方案や、無線プロトコルを最大限無線チャネルに近接させる方案などが議論されている。
【０００３】
一方、データサービスは、音声サービスとは異なり、送信しようとするデータの量及びチャネルの状況により割当できるリソースなどが決定される。したがって、移動通信システムのような無線通信システムでは、スケジューラから送信しようとするリソースの量、チャネルの状況、及びデータの量などを考慮して送信リソースを割り当てるなどの管理が行われる。これは、次世代移動通信システムのうち１つであるＬＴＥでも同一に行われ、基地局に位置したスケジューラが無線送信リソースを管理して割り当てる。
【０００４】
最近、ＬＴＥ通信システムに様々な新技術を組み合わせて送信速度を向上させる、進化したＬＴＥ通信システム（ＬＴＥ−Ａｄｖａｎｃｅｄ、ＬＴＥ−Ａ）に対する議論が本格化している。新しく導入される技術中の代表的なものとして、キャリアアグリゲーション（Ｃａｒｒｉｅｒ  Ａｇｇｒｅｇａｔｉｏｎ）がある。キャリアアグリゲーションとは、従来の端末のように、１つの下りリンクキャリアと１つの上りリンクキャリアのみを用いてデータの送受信をする代わりに、１つの端末が複数の下りリンクキャリアと複数の上りリンクキャリアとを使用することを意味する。従来の上りリンク送信出力決定手続は、端末に１つの下りリンクキャリアと１つの上りリンクキャリアとが割り当てられた場合に関するものであるため、アグリゲーションされた複数のキャリアを介してデータを送受信する端末の上りリンク送信出力決定にそのまま適用することができない。
【先行技術文献】
【特許文献】
【０００５】
【特許文献１】特願２０１１−５４９３３９号（国際公開第２０１０／０９１４２５号）
【発明の概要】
【発明が解決しようとする課題】
【０００６】
本発明は、上述した問題点を解決するためのものであって、複数のキャリアがアグリゲーションされた端末の上りリンク送信出力を制御するとき、シグナリングオーバーヘッドと端末に付加される負荷とを最小化することを目的とする。
【課題を解決するための手段】
【０００７】
前記課題を達成するために、本発明の一実施態様に係る端末で行われる無線通信システムの上りリンク（Ｕｐｌｉｎｋ）送信（Ｔｒａｎｓｍｉｓｓｉｏｎ）出力（Ｐｏｗｅｒ）制御方法は、上りリンクキャリアを周波数を基準にして上りリンクキャリア群にグループ化するグループ化ステップと、前記上りリンクキャリア群に属する上りリンクキャリアのうちいずれか１つ以上と、パスロスの側面で関連する下りリンクキャリアのうちいずれか１つとを、前記上りリンクキャリア群に対応する下りリンク（Ｄｏｗｎｌｉｎｋ）キャリアとして選択する選択ステップと、前記選択された下りリンクキャリアのパスロス（Ｐａｔｈ  Ｌｏｓｓ）を用いて前記上りリンクキャリアの送信出力を決定する出力決定ステップと、を含む。
【０００８】
前記課題を達成するために、本発明の一実施態様に係る無線通信システムの上りリンク送信出力を制御する端末は、上りリンクキャリア及び下りリンクキャリアを介してデータ及び制御信号を送受信する送受信機と、上りリンクキャリアを周波数を基準にして上りリンクキャリア群にグループ化し、前記上りリンクキャリア群に属する上りリンクキャリアのうちいずれか１つ以上と、パスロスの側面で関連する下りリンクキャリアのうちいずれか１つとを、前記上りリンクキャリア群に対応する下りリンクキャリアとして選択し、前記選択された下りリンクキャリアのパスロスを用いて前記上りリンクキャリアの送信出力を決定する上りリンク送信出力制御部と、を含む。
その他の実施態様の具体的な事項は、詳細な説明及び図面に含まれている。
【発明の効果】
【０００９】
本発明の一実施態様によれば、複数のキャリアがアグリゲーションされた端末の上りリンク送信出力を制御するとき、シグナリングオーバーヘッドと端末に付加される負荷とを最小化することができる。
【図面の簡単な説明】
【００１０】
【図１】ＬＴＥ移動通信システムの網構成図である。
【図２】キャリアアグリゲーションの概念図である。
【図３】ＤＬ  ＣＣとＵＬ  ＣＣの例示的マッピングを示す図である。
【図４】本発明の第１実施形態に係るＤＬ  ＣＣとＵＬ  ＣＣのマッピング方法を示す図である。
【図５】本発明の第１実施形態に係るＰＣ  ＤＬ  ＣＧとＰＣ  ＵＬ  ＣＧのマッピング方法を示す図である。
【図６】キャリアアグリゲーションのための端末６０５とネットワーク６１０との間のメッセージフローを示したフローチャートである。
【図７】本発明の第１実施形態に係る端末の動作過程を示すフローチャートである。
【図８】本発明の第１実施形態に係るさらに別の端末の動作過程を示すフローチャートである。
【図９】本発明の第２実施形態に係るＤＬ  ＣＣとＰＬ  ＵＬ  ＣＧの関係を示す図である。
【図１０】本発明の第２実施形態に係る上りリンク送信出力の制御過程を示すフローチャートである。
【図１１】本発明の第２実施形態に係る端末１００５の上りリンク送信出力決定過程を示すフローチャートである。
【図１２】本発明の第２実施形態に係るさらに別の端末の動作過程を示すフローチャートである。
【図１３】本発明の一実施形態に係る端末のブロック構成図である。
【図１４】本発明の第３実施形態に係る上りリンク送信出力の制御過程を示すフローチャートである。
【図１５】本発明の第３実施形態に係る上りリンク送信出力の制御過程を示すフローチャートである。
【図１６】本発明の第４実施形態に係る上りリンク送信出力の制御過程を示すフローチャートである。
【図１７】本発明の第３実施形態または第４実施形態に係る端末のブロック構成図である。
【発明を実施するための形態】
【００１１】
以下、添付する図面を参照して本発明の実施形態について詳細に説明する。
実施形態を説明するにおいて本発明が属する技術分野に十分知られており、本発明と直接的に関係のない技術内容については説明を省略する。これは、不要な説明を省略することにより、本発明の要旨を不明瞭にせず、より明確に伝達するためである。
同じ理由で添付図面において一部の構成要素は、誇張されたり省略されたり概略的に示される。また、各構成要素の大きさは、実際の大きさを反映するものではない。各図面で同一または対応する構成要素には、同一の参照番号を付与した。
以下、本発明の実施形態によって本発明を説明するための図面を参考し、本発明について説明する。
【００１２】
図１及び図２により、ＬＴＥ移動通信システムについてさらに詳しく説明する。図１は、ＬＴＥ移動通信システムの網構成図である。図１を参照すると、次世代無線アクセスネットワーク（Ｅｖｏｌｖｅｄ  Ｒａｄｉｏ  Ａｃｃｅｓｓ  Ｎｅｔｗｏｒｋ、以下「Ｅ−ＲＡＮ」という）１１０，１１２は、次世代基地局（Ｅｖｏｌｖｅｄ  Ｎｏｄｅ  Ｂ、以下「ＥＮＢ」または「Ｎｏｄｅ  Ｂ」という）１２０，１２２，１２４，１２６，１２８と、上位ノード（Ａｃｃｅｓｓ  Ｇａｔｅｗａｙ）１３０，１３２の２ノード構造に単純化される。ユーザ端末（Ｕｓｅｒ  Ｅｑｕｉｐｍｅｎｔ、以下「ＵＥ」という）１０１は、Ｅ−ＲＡＮ１１０，１１２によってインターネットプロトコル（Ｉｎｔｅｒｎｅｔ  Ｐｒｏｔｏｃｏｌ、以下「ＩＰ」という）ネットワークに接続する。
【００１３】
ＥＮＢ１２０，１２２，１２４，１２６及び１２８は、ＵＭＴＳシステムの既存ノードＢに対応する。ＥＮＢは、ＵＥ１０１と無線チャネルで連結され、既存ノードＢよりも複雑な役割を行う。ＬＴＥでは、インターネットプロトコルを通じたＶｏＩＰ（Ｖｏｉｃｅ  ｏｖｅｒ  ＩＰ）のようなリアルタイムサービスをはじめとする全てのユーザトラフィックが共用チャネル（ｓｈａｒｅｄ  ｃｈａｎｎｅｌ）を介してサービスされるので、ＵＥの状況情報を集合してスケジューリングをする装置が必要となり、これをＥＮＢ１２０〜１２８が担当する。１つのＥＮＢは、通常に複数のセルを制御する。最大１００Ｍｂｐｓの送信速度を実現するために、ＬＴＥは最大２０ＭＨｚ帯域幅で直交周波数分割多重方式（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、以下「ＯＦＤＭ」という）を無線接続技術として使用する。また、端末のチャネル状態に合わせて変調方式（ｍｏｄｕｌａｔｉｏｎ  ｓｃｈｅｍｅ）とチャネルコーディング率（ｃｈａｎｎｅｌ  ｃｏｄｉｎｇ  ｒａｔｅ）を決定する適応変調コーディング（Ａｄａｐｔｉｖｅ  Ｍｏｄｕｌａｔｉｏｎ  ＆  Ｃｏｄｉｎｇ、以下「ＡＭＣ」という）方式を適用する。
【００１４】
図２は、キャリアアグリゲーションの概念図である。１つの基地局では、一般的に互いに異なる周波数帯域に位置する複数のキャリアが送受信される。例えば、中心周波数（Ｃｅｎｔｅｒ  Ｆｒｅｑｕｅｎｃｙ）がｆ１のキャリア２１５と、中心周波数がｆ２のキャリア２１０がＥＮＢ２０５から送出されるとき、従来には、１つの端末は、前記２つのキャリアのうち１つのキャリアのみを用いてデータを送受信した。しかしながら、キャリアアグリゲーション機能を有している端末は、同時に複数のキャリアからデータを送受信することができる。基地局は、キャリアアグリゲーション機能を有している端末に対しては、状況によってさらに多くのキャリアを割り当てることにより、前記端末の送信速度を高めることができる。伝統的な意味で、１つの下りリンクキャリアと１つの上りリンクキャリアが１つのセルを構成するとき、キャリアアグリゲーションとは、端末が同時に複数のセルを介してデータを送受信することと理解されてもよい。キャリアアグリゲーションによって得られる最大送信速度は、従来の単一セルで得られた最大送信速度に比較してより速い。キャリアアグリゲーションによって得られる最大送信速度は、アグリゲーションされるキャリアの数に比例して増加する。
【００１５】
上りリンクの送信は、他のセルの上りリンクにセル間の干渉を招くので、上りリンク送信出力は、常に適切な水準で維持されなければならない。基地局は、上りリンク送信出力を制御するために、下りリンクキャリアを介して端末に上りリンク送信出力制御命令を送信する。上りリンク送信出力制御命令は、端末の送信出力を調整する情報を含んでおり、別途制御信号に送信されてもよく、下りリンク送信リソース割当信号や上りリンク送信リソース割当信号に含まれて送信されてもよい。
【００１６】
従来の移動通信システムでは、１つの端末に１つの下りリンクキャリアと１つの上りリンクキャリアとが割り当てられるので、下りリンクキャリアを介して伝達される上りリンク送信出力制御命令がどの上りリンクキャリアに対するものかが明確である。一方、１つの端末が複数のキャリアを介して下りリンク及び上りリンクの通信を行う進化した移動通信システムでは、任意の下りリンクキャリアを介して伝達される上りリンク送信出力制御命令がどの上りリンクキャリアの上りリンク送信出力を制御するためのものかが明確でない。以下、説明の便宜のために、端末にアグリゲーションされた下りリンクキャリアはＤＬ  ＣＣ  （Ｄｏｗｎｌｉｎｋ  Ｃｏｍｐｏｎｅｎｔ  Ｃａｒｒｉｅｒ）、上りリンクキャリアはＵＬ  ＣＣ（Ｕｐｌｉｎｋ  Ｃｏｍｐｏｎｅｎｔ  Ｃａｒｒｉｅｒ）と命名する。
【００１７】
上りリンク送信出力制御命令がどの上りリンクキャリアの上りリンク送信出力を制御するためのものかを判断する最も簡単な方案は、端末に設定されている上りリンクキャリアと下りリンクキャリアを互いに予めマッピングしておいて、特定の上りリンクキャリアの上りリンク送信出力を、その上りリンクキャリアにマッピングされた下りリンクキャリアから伝達される上りリンク送信出力制御命令のみにより制御させることである。
【００１８】
図３は、ＤＬ  ＣＣとＵＬ  ＣＣの例示的マッピングを示す図である。例えば、１つの端末にＤＬ  ＣＣ  １（３０５）、ＤＬ  ＣＣ  ２（３１０）、ＤＬ  ＣＣ  ３（３１５）、ＤＬ  ＣＣ  ４（３２０）、ＤＬ  ＣＣ  ５（３２５）の５個の下りリンクキャリアと、ＵＬ  ＣＣ  １（３３０）、ＵＬ  ＣＣ  ２（３３５）、ＵＬ  ＣＣ  ３（３４０）の３個の上りリンクキャリアが割り当てられていると仮定する。基地局と端末は、ＤＬ  ＣＣ  １（３０５）とＵＬ  ＣＣ  １（３３０）、ＤＬ  ＣＣ  ２（３１０）とＵＬ  ＣＣ  ２（３３５）、ＤＬ  ＣＣ  ３（３１５）とＵＬ  ＣＣ  ３（３４０）を互いに予めマッピングしておいて、ＵＬ  ＣＣ  １（３３０）の上りリンク送信出力制御はＤＬ  ＣＣ  １（３０５）のみによって、ＵＬ  ＣＣ  ２（３３５）の上りリンク送信出力制御はＤＬ  ＣＣ  ２（３１０）のみによって、ＵＬ  ＣＣ  ３（３４０）の上りリンク送信出力制御はＤＬ  ＣＣ  ３（３１５）のみによって、行うように設定しておく。
【００１９】
様々な周波数帯域に散在したキャリアを統合的に用いてデータを送受信することが、キャリアアグリゲーションの主な目的であることを考慮すれば、アグリゲーションされたキャリアの周波数帯域が多様である可能性が高い。例えば、端末に１．７ＧＨｚ帯域のキャリアと、８００ＭＨｚ帯域のキャリアとが共にアグリゲーションされる場合もある。逆に、アグリゲーションされた上りリンクキャリアの周波数帯域が互いに類似する場合もある。類似する周波数帯域の上りリンクキャリアに対して個別的に上りリンク送信出力制御をすれば、上りリンク送信出力制御命令の量は増加するが、送信効率はあまり向上しない可能性が高い。これは、周波数帯域によってキャリアの電波特性が類似するので、同一の周波数帯域の複数の上りリンクキャリアで同一のデータを同一の変調／チャネルコーディング（ＭＣＳ、Ｍｏｄｕｌａｔｉｏｎ  Ｃｏｄｉｎｇ  Ｓｃｈｅｍｅ）に送信したとき、前記上りリンクキャリアの上りリンク送信出力は、大きな差がない可能性が高いためである。
【００２０】
図４は、本発明の第１実施形態に係るＤＬ  ＣＣとＵＬ  ＣＣのマッピング方法を示す図である。
本発明の第１実施形態では、１つの下りリンクキャリアを介して複数の上りリンクキャリアの上りリンク送信出力を共に制御する方法及び装置を提示する。例えば、ＵＬ  ＣＣ  １（４１５）とＵＬ  ＣＣ  ２（４２０）の中心周波数の差が大きくないので、上りリンク送信出力制御を個別的に行う必要がなければ、ＵＬ  ＣＣ  １（４１５）とＵＬ  ＣＣ  ２（４２０）の送信出力は、ＤＬ  ＣＣ  １（４０５）を介して伝達される上りリンク送信出力制御命令によって制御される。以下、上りリンク送信出力制御命令が共通に適用される上りリンクキャリアを送信出力制御上りリンクキャリア群（Ｐｏｗｅｒ  Ｃｏｎｔｒｏｌ  Ｕｐｌｉｎｋ  Ｃａｒｒｉｅｒ  Ｇｒｏｕｐ、「ＰＣ  ＵＬ  ＣＧ」）という。ＰＣ  ＵＬ  ＣＧには、類似する周波数帯域に位置するので、同一の送信出力制御命令によって上りリンク送信出力を共に調整することが効率的である上りリンクキャリアが含まれる。基地局は、所定の制御メッセージを用いて端末にＰＣ  ＵＬ  ＣＧに関する情報を伝達することができる。
【００２１】
ＰＣ  ＵＬ  ＣＧに対応する概念として、送信出力制御下りリンクキャリア群（Ｐｏｗｅｒ  Ｃｏｎｔｒｏｌ  Ｄｏｗｎｌｉｎｋ  Ｃａｒｒｉｅｒ  Ｇｒｏｕｐ、ＰＣ  ＤＬ  ＣＧ）が考えられる。
図５は、本発明の第１実施形態に係るＰＣ  ＤＬ  ＣＧとＰＣ  ＵＬ  ＣＧのマッピング方法を示す図である。
任意のＰＣ  ＤＬ  ＣＧには、１つ以上の下りリンクキャリアが含まれる。任意のＰＣ  ＤＬ  ＣＧに属する下りリンクキャリアから伝達される上りリンク送信出力制御命令は、該当ＰＣ  ＤＬ  ＣＧにマッピングされるＰＣ  ＵＬ  ＣＧに所属した全ての上りリンクキャリアに適用される。例えば、図５には、ＰＣ  ＤＬ  ＣＧ  １（５５０）、ＰＣ  ＤＬ  ＣＧ  ２（５５５）、ＰＣ  ＵＬ  ＣＧ  １（５６０）、及びＰＣ  ＵＬ  ＣＧ  ２（５６５）が示される。ＰＣ  ＤＬ  ＣＧ  １（５５０）は、ＤＬ  ＣＣ  １（５０５）及びＤＬ  ＣＣ  ２（５１０）を含む。ＰＣ  ＤＬ  ＣＧ  ２（５５５）は、ＤＬ  ＣＣ  ３（５１５）を含む。ＰＣ  ＵＬ  ＣＧ  １（５６０）は、ＵＬ  ＣＣ  １（５３０）及びＵＬ  ＣＣ  ２（５３５）を含む。ＰＣ  ＵＬ  ＣＧ  ２（５６５）は、ＵＬ  ＣＣ  ３（５４０）及びＵＬ  ＣＣ  ４（５２０）を含む。ＰＣ  ＤＬ  ＣＧ  １（５５０）は、ＰＣ  ＵＬ  ＣＧ  １（５６０）とマッピングされ、ＰＣ  ＤＬ  ＣＧ  ２（５５５）は、ＰＣ  ＵＬ  ＣＧ  ２（５６５）とマッピングされる。ＤＬ  ＣＣ  １（５０５）またはＤＬ  ＣＣ  ２（５１０）を介して伝達された上りリンク送信出力制御命令は、ＵＬ  ＣＣ  １（５３０）及びＵＬ  ＣＣ  ２（５３５）の送信出力を調整し、ＤＬ  ＣＣ  ３（５１５）を介して伝達された上りリンク送信出力制御命令は、ＵＬ  ＣＣ  ３（５４０）及びＵＬ  ＣＣ  ４（５２０）の送信出力を調整する。例えば、ＤＬ  ＣＣ  ２（５１０）を介して上りリンク送信出力をｘ  ｄＢだけ増加させなさいという送信出力制御命令を受信すれば、端末は、ＵＬ  ＣＣ  １（５３０）とＵＬ  ＣＣ  ２（５３５）の送信出力をｘ  ｄＢ増加させる。すなわち、ＤＬ  ＣＣ  ２（５１０）を介して受信した上りリンク送信出力制御命令により、端末は、ＵＬ  ＣＣ  １（５３０）とＵＬ  ＣＣ  ２（５３５）の送信出力調整変数を調整する。その後、送信出力調整変数は、端末が実際に上りリンクの送信を行うとき、送信出力計算に加算される値であって、出力調整変数がｘ  ｄＢ増加するということは、未来に進められる送信において送信出力がｘ  ｄＢだけ増加することと同一の意味を有する。
【００２２】
図６は、キャリアアグリゲーションのための端末６０５とネットワーク６１０との間のメッセージフローを示したフローチャートである。
前記ネットワーク６１０は、例えば、ＥＮＢであってもよい。ネットワーク６１０は、キャリアのロード状況や端末６０５のトラフィック要求状況などを考慮し、端末６０５に複数のキャリアをアグリゲーションすることを決定する。例えば、端末６０５の下りリンクデータの量が増加すれば、ネットワーク６１０は、自身が管理している下りリンクキャリアのうち１つ以上を端末６０５にアグリゲーションする。ステップＳ６１５でネットワーク６１０は、端末６０５にキャリアアグリゲーションのために定義された所定の制御メッセージを送信する。前記制御メッセージには、アグリゲーションされるキャリアに関する情報が含まれてもよい。例えば、キャリアアグリゲーションが下りリンクデータの増加に因るものであるため、下りリンクキャリアのみをアグリゲーションすれば良い状況であっても、前記キャリアアグリゲーション制御メッセージには、下りリンクキャリア情報と上りリンクキャリア情報が連結されて含まれなければならない。これは、ＬＴＥ−Ａでは、データ送受信がＨＡＲＱに基づいて行われるので、端末６０５が下りリンクでデータを受信するためには、上りリンクにＨＡＲＱフィードバック情報を送信しなければならず、上りリンクでデータを送信するためには、下りリンクにＨＡＲＱフィードバック情報を受信しなければならないからである。以下の説明で任意の下りリンク／上りリンクキャリアを介して送信されたユーザデータに対するＨＡＲＱフィードバックがさらに他の任意の下りリンク／上りリンクキャリアを介して送信されれば、前記任意の下りリンク／上りリンクキャリアと、さらに他の任意の上りリンク／下りリンクキャリアがＨＡＲＱフィードバックの側面で互いに関連すると定義する。基地局は、下りリンクキャリア或いは上りリンクキャリアをアグリゲーションするとき、端末にアグリゲーションされる下りリンク或いは上りリンクキャリアに関する情報だけでなく、前記キャリアとＨＡＲＱフィードバックの側面で関連する上りリンク或いは下りリンクキャリアに関する情報を共に伝達する。これは、例えば、端末がキャリアアグリゲーションメッセージに下りリンクキャリアに関する情報と、上りリンクキャリアに関する情報とを常に連結させて含ませ、前記連結させて含まれた下りリンクキャリアと上りリンクキャリアがＨＡＲＱフィードバックの側面で互いに関連するものと規則を定めておくことによって可能である。下りリンクキャリア情報は、例えば、下りリンクキャリアの中心周波数、下りリンクキャリアの帯域幅などの情報を含む。上りリンクキャリア情報は、上りリンクキャリアの中心周波数、上りリンクキャリアの帯域幅などの情報を含む。また、前記制御メッセージには、前記上りリンクキャリアの送信出力制御のための情報、例えば、前記上りリンクキャリアがどのＰＣ  ＵＬ  ＣＧに属するかを指示する情報が含まれる。前記リンクキャリアの送信出力制御のための情報は、ＰＣ  ＵＬ  ＣＧ別に割り当てられる識別子であってもよく、前記上りリンクキャリアと共に上りリンク送信出力が制御される上りリンクキャリアの識別子であってもよい。前記制御情報には、さらにＰＣ  ＤＬ  ＣＧに関する情報が含まれてもよい。ＰＣ  ＤＬ  ＣＧに関する��報は、例えば、前記制御メッセージでアグリゲーションされる下りリンクキャリアが所属するＰＣ  ＤＬ  ＣＧの識別子であってもよい。また、任意のＰＣ  ＵＬ  ＣＧに属する上りリンクキャリアとＨＡＲＱフィードバックの側面で関連する全ての下りリンクキャリアが、前記ＰＣ  ＵＬ  ＣＧとマッピングされるＰＣ  ＤＬ  ＣＧに属するものと定義するなら、ＰＣ  ＤＬ  ＣＧに関する情報を別にシグナリングする必要はない。
キャリアアグリゲーションメッセージに含まれる情報の種類を表にまとめると、表１の通りである。
【００２３】
【表１】
0006054433.tif 000002
【００２４】
表１において「＞」は、該当情報の階層的水準を示すもので、「＞」が小さいほど階層的水準が高い。例えば、「＞」が２つの情報は、「＞」が１つの情報の下位情報である。
１つのキャリアアグリゲーションメッセージには、「アグリゲーションされるＣａｒｒｉｅｒ情報」が１つ以上含まれてもよく、アグリゲーションされるＣａｒｒｉｅｒ情報に共に含まれた下りリンクキャリアと上りリンクキャリアは、ＨＡＲＱフィードバックの側面で関連するキャリアである。識別子が同一のＰＣ  ＤＬ  ＣＧとＰＣ  ＵＬ  ＣＧは、互いにマッピングされるものと規則を定めれば、マッピング情報を別に送信しなくてもよい。理解を助けるために、表２Ａ〜表２Ｄに、図５のように３個の下りリンクキャリアと４個の上りリンクキャリアをアグリゲーションするキャリアアグリゲーションメッセージに含まれる情報の例を示す。
【００２５】
【表２Ａ】
0006054433.tif 000003
【表２Ｂ】
0006054433.tif 000004
【表２Ｃ】
0006054433.tif 000005
【表２Ｄ】
0006054433.tif 000006
【００２６】
表２Ａ〜表２Ｄを参照すると、ＤＬ  ＣＣ識別子が「１」である下りリンクキャリアＤＬ  ＣＣ  １（５０５）（以下、ＤＬ  ＣＣ  ｘは、ＤＬ  ＣＣ識別子がｘの下りリンクキャリアを示す）は、ＵＬ  ＣＣ識別子が「１」である上りリンクキャリアＵＬ  ＣＣ  １（５３０）（以下、ＵＬ  ＣＣ  ｙは、ＵＬ  ＣＣ識別子がｙの上りリンクキャリアを示す）と、ＨＡＲＱフィードバックの側面で互いに関連する。ＰＣ  ＤＬ  ＣＧ  １（５５０）には、ＤＬ  ＣＣ  １（５０５）とＤＬ  ＣＣ  ２（５１０）が含まれる。ＰＣ  ＵＬ  ＣＧ  １（５６０）には、ＵＬ  ＣＣ  １（５３０）とＵＬ  ＣＣ  ２（５３５）が含まれる。識別子が同一のＰＣ  ＤＬ  ＣＧとＰＣ  ＵＬ  ＣＧが互いにマッピングされるので、ＰＣ  ＤＬ  ＣＧ  １（５５０）とＰＣ  ＵＬ  ＣＧ  １（５６０）が互いにマッピングされ、ＰＣ  ＤＬ  ＣＧ  １（５５０）に属する下りリンクキャリア、すなわち、ＤＬ  ＣＣ  １（５０５）とＤＬ  ＣＣ  ２（５１０）で送信される上りリンク送信出力制御命令は、ＰＣ  ＵＬ  ＣＧ  １（５６０）に属する上りリンクキャリア、すなわち、ＵＬ  ＣＣ  １（５３０）とＵＬ  ＣＣ  ２（５３５）に適用される。
【００２７】
ＰＣ  ＤＬ  ＣＧの識別子を直接表示する代わりに、予め定められた規則を用いることも可能である。例えば、ＰＣ  ＵＬ  ＣＧに属する全ての上りリンクキャリアとＨＡＲＱ側面で関連する全ての下りリンクキャリアが前記ＰＣ  ＵＬ  ＣＧとマッピングされるＰＣ  ＤＬ  ＣＧを構成することと規則を定めておけば、ＰＣ  ＤＬ  ＣＧの識別子を直接的にシグナリングする必要がない。この場合、キャリアアグリゲーションメッセージに含まれる情報の種類を表３に示した。
【００２８】
【表３】
0006054433.tif 000007
【００２９】
理解を助けるために、表４Ａ〜表４Ｄに、図５のように３個の下りリンクキャリアと４個の上りリンクキャリアをアグリゲーションするキャリアアグリゲーションメッセージに含まれる情報の一例を示した。
【００３０】
【表４Ａ】
0006054433.tif 000008
【表４Ｂ】
0006054433.tif 000009
【表４Ｃ】
0006054433.tif 000010
【表４Ｄ】
0006054433.tif 000011
【００３１】
表４Ａ〜表４Ｄを参照すると、ＵＬ  ＣＣ  １（５３０）とＵＬ  ＣＣ  ２（５３５）は同一のＰＣ  ＵＬ  ＣＧに属し、ＵＬ  ＣＣ  ３（５４０）とＵＬ  ＣＣ  ４（５２０）がさらに他のＰＣ  ＵＬ  ＣＧに属する。ＵＬ  ＣＣ  １（５３０）及びＵＬ  ＣＣ  ２（５３５）は、それぞれＤＬ  ＣＣ  １（５０５）及びＤＬ  ＣＣ  ２（５１０）と、ＨＡＲＱフィードバックの側面で関連するので、ＵＬ  ＣＣ  １（５３０）とＵＬ  ＣＣ  ２（５３５）は、ＤＬ  ＣＣ  １（５０５）及びＤＬ  ＣＣ  ２（５１０）から受信される上りリンク送信出力制御命令の適用を受けて、ＵＬ  ＣＣ  ３（５４０）とＵＬ  ＣＣ  ４（５２０）は、ＤＬ  ＣＣ  ３５１５とＨＡＲＱフィードバックの側面で関連するので、ＵＬ  ＣＣ  ３（５４０）とＵＬ  ＣＣ  ４（５２０）は、ＤＬ  ＣＣ  ３（５１５）から受信される上りリンク送信出力制御命令の適用を受ける。
【００３２】
ＰＣ  ＵＬ  ＣＧ情報としてＰＣ  ＵＬ  ＣＧ識別子の代わりに基準上りリンクキャリア識別子を用いることも可能である。すなわち、基準上りリンクキャリアの識別子が同一である上りリンクキャリアは、同一のＰＣ  ＵＬ  ＣＧに属することと見なすことができる。表４Ａ〜表４Ｄの例では、ＵＬ  ＣＣ  １（５３０）とＵＬ  ＣＣ  ２（５３５）のＰＣ  ＵＬ  ＣＧ情報として、同一の上りリンクキャリア識別子（例えば、ＵＬ  ＣＣ  １（５３０）の「１」またはＵＬ  ＣＣ  ２（５３５）の「２」）を含めば、前記２つの上りリンクキャリアが同一のグループから構成されることを表示することができる。
【００３３】
図６を再び参照すると、ステップＳ６２０で端末６０５は、キャリアアグリゲーション制御情報を受信すれば、これに対する応答メッセージを送信する。その後、端末６０５は、アグリゲーションされた下りリンクキャリアの制御チャネルを監視し、ネットワーク６１０の指示によりアグリゲーションされた下りリンクキャリア或いは上りリンクキャリアでデータを送受信し、マッピングされた上りリンクキャリア或いは下りリンクキャリアにＨＡＲＱフィードバック情報を送受信する。
ステップＳ６２５で端末６０５は、任意の下りリンクキャリアを介して送信出力制御命令（Ｔｒａｎｓｍｉｓｓｉｏｎ  Ｐｏｗｅｒ  Ｃｏｎｔｒｏｌ  Ｃｏｍｍａｎｄ、以下「ＴＰＣ」）を受信する。ステップＳ６３０で端末６０５は、前記下りリンクキャリアが所属したＰＣ  ＤＬ  ＣＧを判断し、前記ＰＣ  ＤＬ  ＣＧにマッピングされるＰＣ  ＵＬ  ＣＧに属する上りリンクキャリアの上りリンク送信出力を受信したＴＰＣによって調整する。すなわち、端末６０５は、前記上りリンクキャリアの上りリンク送信出力変数をＴＰＣに含まれた情報によって調整する。
【００３４】
図７は、本発明の第１実施形態に係る端末の動作過程を示すフローチャートである。
ステップＳ７０５で端末６０５は、任意の下りリンクキャリアを介して送信出力制御命令を受信する。端末６０５は、ステップＳ７１０で前記下りリンクキャリアが所属したＰＣ  ＤＬ  ＣＧを識別する。下りリンクキャリアとＰＣ  ＤＬ  ＣＧの関係は、呼設定過程やキャリアアグリゲーション過程でネットワーク６１０によって設定される。端末６０５は、ステップＳ７１５で前記ＰＣ  ＤＬ  ＣＧとマッピングされるＰＣ  ＵＬ  ＣＧを識別する。ＰＣ  ＤＬ  ＣＧとＰＣ  ＵＬ  ＣＧのマッピング関係は、呼設定過程やキャリアアグリゲーション過程でネットワーク６１０によって設定される。ステップＳ７２０で端末６０５は、前記識別されたＰＣ  ＵＬ  ＣＧに所属した全ての上りリンクキャリアの送信出力を受信したＴＰＣで指示した量だけに調整する。すなわち、端末６０５は、前記識別されたＰＣ  ＵＬ  ＣＧに所属した全ての上りリンクキャリアの送信出力調整変数を前記ＴＰＣで指示した量だけに調整する。送信出力調整変数については、以下でさらに詳しく説明する。端末は、任意の時点に上りリンクの送信を行う前に、下の数式１を用いて上りリンク送信に適用する送信出力を算出する。
【００３５】
上りリンク送信出力＝ＭＩＮ［ＰＣＭＡＸ，ｆ（上りリンクの送信時に用いるリソースの量，上りリンクの送信時に適用するＭＣＳ，定数，送信出力調整変数，パスロス）］・・・（数式１）
【００３６】
ＰＣＭＡＸは、ネットワークが許容する最大送信出力である。ｆは、所定の関数で上りリンクの送信時に用いるリソースの量、ＭＣＳレベル、送信出力調整変数などの入力を受けて適切な値を出力する。前記出力される値は、大体入力された値に比例する。すなわち、多くのリソースを使用するほど、高いＭＣＳを適用するほど、出力調整変数の値が大きいほど出力値も大きくなる。送信出力調整変数は、上りリンクキャリア別に管理され、前記変数には現在時点まで受信したＴＰＣの累積値が管理される。数式１に示したように、送信出力調整変数を調整することは、上りリンク送信出力を調整する結果につながる。
【００３７】
図７に示した端末６０５の動作は、下りリンクキャリアが明らかにＰＣ  ＤＬ  ＣＧに所属し、上りリンクキャリアが明らかにＰＣ  ＵＬ  ＣＧに所属し、相互間の関係が制御メッセージにより明らかにシグナリングされることを前提とするものである。場合により、下りリンクキャリアがどの上りリンクキャリアと関連するかは、所定のルールに従って設定される。例えば、送信出力が共に調整される上りリンクキャリアの集合だけをシグナリングし、前記上りリンクキャリアの送信出力は、前記上りリンクキャリアとＨＡＲＱフィードバックの側面で関連する下りリンクキャリアから受信される送信出力制御命令によって調整されるように規則を設定すれば、ＰＣ  ＤＬ  ＣＧを別に定義する必要はない。
【００３８】
図８は、本発明の第１実施形態に係るさらに別の端末の動作過程を示すフローチャートである。
図８には、送信出力が共に調整される上りリンクキャリアの集合のみを明らかにシグナリングし、前記上りリンクキャリアとＨＡＲＱフィードバックの側面で関連する下りリンクキャリアを、前記上りリンクキャリアに対する送信出力調整命令が送受信されるキャリアとして暗黙的に設定する場合、端末６０５の動作を示した。ステップＳ８０５で端末６０５は、任意の下りリンクキャリアを介して送信出力制御命令を受信する。ステップＳ８１０で端末６０５は、前記下りリンクキャリアとＨＡＲＱフィードバックの側面で関連する上りリンクキャリアを識別し、前記上りリンクキャリアの送信出力の指示を受けた量だけ調整する。また、ステップＳ８１５において、前記上りリンクキャリアと送信出力が共に調整されるように設定されている上りリンクキャリアを識別し、前記上りリンクキャリアの送信出力も指示を受けた大きさだけ調整する。前記上りリンクキャリアと送信出力が共に調整されるように設定されている上りリンクキャリアとは、例えば、同一の基準上りリンクキャリアを有する上りリンクキャリア或いは同一のＰＣ  ＵＬ  ＣＧに属する上りリンクキャリアを意味する。
【００３９】
本発明の第１実施形態では、ＰＣ  ＵＬ  ＣＧに対して同時に複数の送信出力制御命令が受信されることもある。例えば、任意の時点にＤＬ  ＣＣ  １（５０５）とＤＬ  ＣＣ  ２（５１０）を介して送信出力制御命令がそれぞれ受信されれば、前記２つの送信出力制御命令は、全部ＰＣ  ＵＬ  ＣＧ  １（５６０）の送信出力調整を指示する命令である。このように１つの上りリンクキャリア（或いは、１つのＰＣ  ＵＬ  ＣＧ）に対して同時に複数の送信出力制御命令が受信されれば、端末は、前記複数の送信出力制御命令を全部合算した結果を前記上りリンクキャリアと上りリンクキャリアが属したＰＣ  ＵＬ  ＣＧの送信出力調整変数に反映する。
【００４０】
＜第２実施形態＞
数式１に示したように、上りリンク送信出力を算出するためには、下りリンクキャリアのパスロスを入力しなければならない。上りリンクキャリアと下りリンクキャリアとのマッピング関係が明白な従来とは異なり、キャリアがアグリゲーションされた場合には、任意の上りリンクキャリアの上りリンク送信出力を算出するために、どの下りリンクキャリアのパスロスを入力しなければならないか明確でない場合がある。最も簡単な方法は、ＨＡＲＱフィードバックの側面で関連する下りリンクキャリアのパスロスを利用することである。しかしながら、１つの上りリンクキャリアが複数の下りリンクキャリアとＨＡＲＱフィードバックの側面で関連することも可能であり、この場合には、ＨＡＲＱフィードバックの側面の関連性だけでパスロスを利用する下りリンクキャリアを判断することができない。
【００４１】
本発明の第２実施形態では、キャリアアグリゲーション過程において、制御メッセージによって上りリンクキャリアと前記上りリンクキャリアの送信出力算出に使用されるパスロスが測定される下りリンクキャリアとの関係を明らかに指示する。また、複数の上りリンクキャリアが、類似する周波数帯域に位置する場合には、前記上りリンクキャリアの送信出力算出に１つの下りリンクキャリアのパスロスを利用させることにより、端末が複数の下りリンクキャリアのパスロスを持続的に測定しないようにする。
【００４２】
図９は、本発明の第２実施形態に係るＤＬ  ＣＣとＰＬ  ＵＬ  ＣＧの関係を示す図である。
例えば、端末にＤＬ  ＣＣ  １（９０５）、ＤＬ  ＣＣ  ２（９１０）、ＤＬ  ＣＣ  ３（９１５）、ＤＬ  ＣＣ  ４（９２０）の４個の下りリンクキャリアと、ＵＬ  ＣＣ  １（９３０）、ＵＬ  ＣＣ  ２（９３５）、ＵＬ  ＣＣ  ３（９４０）の３個の上りリンクキャリアとがアグリゲーションされており、各下りリンクキャリアと上りリンクキャリアは、図９で点線で示したように、ＨＡＲＱフィードバックの側面で関連している時、類似する周波数帯域の下りリンクキャリアのうち１つのＤＬ  ＣＣを指定し、前記周波数帯域の全ての上りリンクキャリアの送信出力計算に使用されるように設定する。例えば、類似する周波数帯域の上りリンクキャリアＵＬ  ＣＣ  １（９３０）とＵＬ  ＣＣ  ２（９３５）は、ＤＬ  ＣＣ  １（９０５）のパスロスを用いて送信出力を算出するようにする。このように、同一の下りリンクキャリアのパスロスを用いて送信出力を算出する上りリンクキャリアの集合を、本発明ではパスロスの上りリンクキャリア群（Ｐａｔｈ  Ｌｏｓｓ  ＵＬ  Ｃａｒｒｉｅｒ  Ｇｒｏｕｐ、「ＰＬ  ＵＬ  ＣＧ」）と定義する。図９の例では、ＵＬ  ＣＣ  １（９３０）とＵＬ  ＣＣ２（９３５）がＰＬ  ＵＬ  ＣＧ  １（９４５）に所属し、ＵＬ  ＣＣ  ３（９４０）がＰＬ  ＵＬ  ＣＧ  ２（９５０）に所属する。ＰＬ  ＵＬ  ＣＧ  １（９４５）に属する上りリンクキャリアの送信出力は、ＤＬ  ＣＣ  １（９０５）のパスロスを用いて決定され、ＰＬ  ＵＬ  ＣＧ  ２（９５０）に属する上りリンクキャリアの送信出力は、ＤＬ  ＣＣ  ３（９１５）のパスロスを用いて決定される。
【００４３】
図１０は、本発明の第２実施形態に係る上りリンク送信出力の制御過程を示すフローチャートである。前記ネットワーク１０１０はＥＮＢであってもよい。ネットワーク１０１０は、キャリアのロード状況や端末１００５のトラフィック要求状況などを考慮し、端末１００５に１つ以上のキャリアをアグリゲーションすることを決定する。ステップＳ１０１５でネットワーク１０１０は、端末１００５にキャリアアグリゲーションのために定義された所定の制御メッセージを送信する。前記制御メッセージには、アグリゲーションされるキャリアに関する情報が含まれる。前記制御メッセージには、ＰＬ  ＵＬ  ＣＧ情報が格納されてもよい。ＰＬ  ＵＬ  ＣＧ情報は、すなわち、任意のＰＬ  ＵＬ  ＣＧにどの上りリンクキャリアが含まれ、前記ＰＬ  ＵＬ  ＣＧの基準下りリンクキャリアがどの下りリンクキャリアなのかに関する情報である。
キャリアアグリゲーションメッセージに含まれる情報の種類を表にまとめると、表５のようになる。アグリゲーションされるキャリア情報の下位情報は、表１或いは表３と差がないので省略する。
【００４４】
【表５】
0006054433.tif 000012
【００４５】
理解を助けるために、図９のように、４個の下りリンクキャリアと３個の上りリンクキャリアとをアグリゲーションするキャリアアグリゲーションメッセージに含まれる情報の一例を表６に示した。
【００４６】
【表６】
0006054433.tif 000013
【００４７】
表６のようにＰＬ  ＵＬ  ＣＧが設定されれば、ＵＬ  ＣＣ  １（９３０）とＵＬ  ＣＣ  ２（９３５）は、ＤＬ  ＣＣ  １（９０５）のパスロスを用いて上りリンク送信出力を決定し、ＵＬ  ＣＣ  ３（９４０）は、ＤＬ  ＣＣ  ３（９１５）のパスロスを用いて上りリンク送信出力を決定する。
【００４８】
所定の規則にしたがって基準下りリンクキャリアを端末が自体的に決定すれば、表７のようにＰＬ  ＵＬ  ＣＧ情報をアグリゲーションされるキャリア情報に含ませてもよい。
【００４９】
【表７】
0006054433.tif 000014
【００５０】
前記情報を受信すれば、端末は、任意のＰＬ  ＵＬ  ＣＧにどの上りリンクキャリアが含まれるかが分かる。端末は、前記上りリンクキャリアと、ＨＡＲＱフィードバックの側面で関連する下りリンクキャリアのうち中心周波数が最も低い下りリンクキャリアとを基準キャリアとして選択してもよい。または、前記上りリンクキャリアとＨＡＲＱフィードバックの側面で関連する下りリンクキャリアのうち１つを端末が任意に選択してもよい。これは、パスロスの側面から見たとき、類似する周波数帯域に下りリンクキャリアが位置するなら、測定されたパスロスの差があまり大きくない可能性が高いため、どの下りリンクキャリアを基準下りリンクキャリアとして採択しても、類似する性能を期待することができるからである。理解を助けるために、図９のように、４個の下りリンクキャリアと３個の上りリンクキャリアをアグリゲーションするキャリアアグリゲーションメッセージに含まれる情報の一例を表８Ａ〜表８Ｄに示した。
【００５１】
【表８Ａ】
0006054433.tif 000015
【表８Ｂ】
0006054433.tif 000016
【表８Ｃ】
0006054433.tif 000017
【表８Ｄ】
0006054433.tif 000018
【００５２】
表８Ａ〜表８Ｄを参照すると、ＵＬ  ＣＣ  １（９３０）とＵＬ  ＣＣ  ２（９３５）は同一のＰＬ  ＵＬ  ＣＧに属し、ＵＬ  ＣＣ  ３（９４０）は他のＰＬ  ＵＬ  ＣＧに属する。端末は、ＵＬ  ＣＣ  １（９３０）とＵＬ  ＣＣ  ２（９３５）の上りリンク送信出力を決定するとき、前記上りリンクキャリアとＨＡＲＱフィードバックの側面で関連する下りリンクキャリアのうち１つを所定の基準として選択し、前記下りリンクキャリアのパスロスを用いて送信出力を決定する。前記所定の基準は、例えば、中心周波数の高低であってもよく、該当時点にパスロス測定値の存在有無であってもよい。すなわち、中心周波数が最も高い下りリンクキャリアのパスロスを使用するか、中心周波数が最も低い下りリンクキャリアのパスロスを使用する場合、送信出力を決定する時点にパスロス測定値が存在する下りリンクキャリアのパスロスを使用することができる。すなわち、選択された下りリンクキャリアは、該当ＰＬ  ＵＬ  ＣＧに属する上りリンクキャリアのうち１つとＨＡＲＱフィードバックの側面で関連されなければならないことを意味する。したがって、端末は、ＵＬ  ＣＣ  １（９３０）とＵＬ  ＣＣ  ２（９３５）に対する上りリンク送信出力決定時に、ＤＬ  ＣＣ  １（９０５）やＤＬ  ＣＣ  ２（９１０）のうち１つを前記所定の規則を用いて選択し、選択された下りリンクキャリアのパスロスを使用する。
他の実施形態によれば、下の表９のように上りリンクキャリア情報にどの下りリンクキャリアのパスロスを用いて、上りリンク送信出力を決定するかの情報を含ませて直接指示してもよい。
【００５３】
【表９】
0006054433.tif 000019
【００５４】
理解を助けるために、図９のように、４個の下りリンクキャリアと３個の上りリンクキャリアをアグリゲーションするキャリアアグリゲーションメッセージに含まれる情報の一例を表１０Ａ〜表１０Ｄに示した。
【００５５】
【表１０Ａ】
0006054433.tif 000020
【表１０Ｂ】
0006054433.tif 000021
【表１０Ｃ】
0006054433.tif 000022
【表１０Ｄ】
0006054433.tif 000023
【００５６】
表１０Ａ〜表１０Ｄを参照すると、ＵＬ  ＣＣ  １（９３０）とＵＬ  ＣＣ  ２（９３５）は、基準下りリンクキャリアが全てＤＬ  ＣＣ  １（９０５）と設定されているので、端末は、ＵＬ  ＣＣ  １（９３０）とＵＬ  ＣＣ  ２（９３５）の送信出力を決定するとき、ＤＬ  ＣＣ  １（９０５）のパスロスを用いる。
【００５７】
図１０は、本発明の第２実施形態に係る上りリンク送信出力過程を示すフローチャートである。
ステップＳ１０１５で端末１００５は、キャリアアグリゲーション制御情報を受信する。ステップＳ１０２０で端末１００５は、受信したキャリアアグリゲーション制御情報に対する応答メッセージを送信する。端末１００５及びネットワーク１０１０は、アグリゲーションされた下りリンクキャリアの制御チャネルを監視し、ネットワーク１０１０の指示によりアグリゲーションされた下りリンクキャリア或いは上りリンクキャリアを介してデータを送受信し、マッピングされた上りリンクキャリア或いは下りリンクキャリアを介してＨＡＲＱフィードバック情報を送信する。
その後、ステップＳ１０２５で端末１００５は、任意の下りリンクキャリアを介して任意の上りリンクキャリアに対する上りリンクの送信リソース割当信号を受信する。前記上りリンクの送信リソース割当信号には、端末１００５が上りリンクの送信を行う送信リソースと、上りリンクの送信に適用するＭＣＳレベルなどに関連する情報が含まれる。ステップＳ１０３０で端末１００５は、前記上りリンクの送信を行う上りリンクキャリアが所属したＰＬ  ＵＬ  ＣＧを確認し、前記ＰＬ  ＵＬ  ＣＧの基準下りリンクキャリアのパスロスを用いて上りリンク送信出力を決定する。
【００５８】
図１１は、本発明の第２実施形態に係る端末１００５の上りリンク送信出力決定過程を示すフローチャートである。
ステップＳ１１０５において、端末１００５にアグリゲーションされた上りリンクキャリアのうち１つの上りリンクキャリアを介して上りリンクの送信を行わなければならない必要性を感知する。前記必要性は、例えば、前記上りリンクキャリアに対する上りリンクの送信リソース割当信号を受信した時に発生する。ステップＳ１１１０で端末１００５は、前記上りリンクキャリアが所属したＰＬ  ＵＬ  ＣＧを識別する。上りリンクキャリアとＰＬ  ＵＬ  ＣＧとの間の関係は、呼設定過程やキャリアアグリゲーション過程でネットワーク１０１０によって設定される。ステップＳ１１１５で端末１００５は、前記ＰＬ  ＵＬ  ＣＧの基準下りリンクキャリアを識別する。ＰＬ  ＵＬ  ＣＧと基準下りリンクキャリアとの間のマッピング関係は、呼設定過程やキャリアアグリゲーション過程にネットワークによって設定されてもよく、端末が所定の規則を用いて判断してもよい。ステップＳ１１２０で端末は、前記識別された基準下りリンクキャリアのパスロスを用いて上りリンク送信出力を決定する。
【００５９】
図１２は、本発明の第２実施形態に係るさらに別の端末の動作過程を示すフローチャートである。図１２は、表９のように基準下りリンクキャリア情報が上りリンクキャリア情報に含まれて構成された場合の端末の動作のフローチャートである。ステップＳ１２０５で端末１００５は、アグリゲーションされた上りリンクキャリアのうち１つの上りリンクキャリアを介して上りリンクの送信を行わなければならない必要性を感知する。前記必要性は、例えば、前記上りリンクキャリアに対する上りリンクグラント（Ｇｒａｎｔ）を受信した時に発生する。ステップＳ１２１０で端末１００５は、前記上りリンクキャリアの基準下りリンクキャリアを識別する。上りリンクキャリアと基準下りリンクキャリアとの関係は、呼設定過程やキャリアアグリゲーション過程でネットワーク１０１０によって設定される。ステップＳ１２１５で端末１００５は、前記基準下りリンクキャリアのパスロスを用いて上りリンク送信出力を決定する。
【００６０】
図１３は、本発明の一実施形態に係る端末のブロック構成図である。
端末は、送受信機（Ｔｒａｎｓｃｅｉｖｅｒ）１３０５、ＴＰＣ処理部１３１５、上りリンク送信出力制御部１３１０、マルチプレクサー／デマルチプレクサー１３２０、制御メッセージ処理部１３３５、及び上位レイヤ装置１３２５，１３３０を含む。
送受信機１３０５は、下りリンクキャリアを介してデータ及び所定の制御信号を受信し、上りリンクキャリアを介してデータ及び所定の制御信号を送信する。複数のキャリアがアグリゲーションされた場合、送受信機１３０５は、前記複数のキャリアを介してデータ送受信及び制御信号送受信を行う。
ＴＰＣ処理部１３１５は、下りリンクキャリアを介して受信したＴＰＣ命令を解釈し、上りリンク送信出力調整値を上りリンク送信出力制御部１３１０に伝達する。
【００６１】
上りリンク送信出力制御部１３１０は、ＴＰＣ処理部１３１５が伝達した上りリンク送信出力調整値を適切な上りリンクキャリアに対する上りリンク送信出力調整変数に反映して更新する。また、任意の上りリンクキャリアに対する上りリンク送信出力の決定時に、上りリンク送信出力制御部１３１０は、該当上りリンク送信出力調整変数に格納された値を用いて上りリンク送信出力を決定する。また、上りリンク送信出力制御部１３１０は、任意の上りリンクキャリアに対する上りリンク送信出力の決定時に、前記上りリンクキャリアの基準下りリンクキャリアのパスロスを用いて上りリンク送信出力を決定する。上りリンク送信出力制御部１３１０は、前記決定された上りリンク送信出力を送受信機に伝達し、送受信機が適切な送信出力で上りリンクの送信を行うようにする。
【００６２】
マルチプレクサー／デマルチプレクサー１３２０は、上位レイヤ装置１３２５，１３３０や制御メッセージ処理部１３３５で発生したデータをマルチプレシングするか、送受信機１３０５から受信されたデータをデマルチプレシングし、適切な上位レイヤ装置１３２５，１３３０や制御メッセージ処理部１３３５に伝達する役割をする。
制御メッセージ処理部１３３５は、ネットワーク１０１０が送信した制御メッセージを処理して必要な作業を行う。例えば、キャリアアグリゲーションメッセージに格納されたＰＣ  ＤＬ  ＣＧ情報やＰＣ  ＵＬ  ＣＧ情報或いはＰＬ  ＵＬ  ＣＧ情報などを上りリンク送信出力制御部１３１０とＴＰＣ処理部１３１５に伝達する。
上位レイヤ装置１３２５，１３３０は、サービス別に構成され、ＦＴＰやＶｏＩＰ等のようなユーザサービスで発生するデータを処理してマルチプレクサー／デマルチプレクサー１３２０に伝達するか、マルチプレクサー／デマルチプレクサー１３２０が伝達したデータを処理して上位レイヤのサービスアプリケーションに伝達する。
【００６３】
＜第３実施形態＞
本発明の３実施形態では、上りリンクキャリアの送信出力決定時に、複数の下りリンクキャリアのうち１つの下りリンクキャリアのパスロスを用いて上りリンクキャリアの送信出力を設定する方法及び装置を提示する。
上りリンク送信出力は、上りリンクキャリアのチャネル状況によってその値が決定されなければならない。要するに、チャネル状況が劣悪であれば高い送信出力を、チャネル状況が良好であれば低い送信出力を用いることが好ましい。端末は、上りリンクチャネル状況を直接測定できないので、下りリンクキャリアのパスロスを用いて上りリンクチャネル状況を推定する。チャネル状況が類似すると予想される下りリンクキャリアが複数存在すれば、すなわち、同一の周波数帯域に位置した下りリンクキャリアが複数存在すれば、前記下りリンクキャリアのいずれかの下りリンクキャリアのパスロスを用いて上りリンクチャネル状況を推定しても、期待される性能は大きな差がないだろう。任意の上りリンクキャリアのチャネル状況を推定できる下りリンクキャリアが複数存在すれば、端末が前記上りリンクキャリアのチャネル状況を推定するにおいて、下りリンクチャネル状況を最も正確に測定できる下りリンクキャリアを用いて上りリンクキャリアのチャネル状況を推定することが好ましい。
【００６４】
本発明で任意の上りリンクキャリアは、複数の下りリンクキャリアとパスロスの側面で関連され、端末は、上りリンクの送信を行う時点に所定の規則を適用して関連する下りリンクキャリアのうち１つの下りリンクキャリアを選択し、前記選択された下りリンクキャリアのパスロスを用いて上りリンク送信出力を決定する。前記所定の規則は、該当時点に最も正確なパスロス測定値を提供する下りリンクキャリアが選択されるように定義される。
【００６５】
図１４は、本発明の第３実施形態に係る上りリンク送信出力の制御過程を示すフローチャートである。
ネットワーク１４１０はＥＮＢであってもよい。ネットワーク１４１０は、キャリアのロード状況や端末１４０５のトラフィック要求状況を考慮し、端末１４０５に１つ以上のキャリアをアグリゲーションすることを決定する。ステップ１４１５でネットワーク１４１０は、端末１４０５にキャリアアグリゲーションのために定義された所定の制御メッセージを送信する。前記制御メッセージには、アグリゲーションされるキャリアに関する情報が含まれる。上りリンクキャリアをアグリゲーションする場合、前記制御メッセージにはアグリゲーションされる上りリンクキャリアの中心周波数、帯域幅などの情報が含まれる。また、前記制御メッセージには、前記アグリゲーションされた上りリンクキャリアとパスロス側面で関連された下りリンクキャリアのリストが含まれる。前記１つの逆方向キャリアとパスロス側面で関連された下りリンクキャリアは、同一の周波数帯域に属し、前記端末１４０５に既にアグリゲーションされたか、または、直ぐアグリゲーションされる下りリンクキャリアであってもよい。任意の下りリンクキャリアと上りリンクキャリアがパスロス側面で関連されることは、上りリンク送信出力算出時に、該当下りリンクキャリアのパスロスが考慮されることを意味する。
【００６６】
ステップＳ１４２０で端末１４０５は、受信したキャリアアグリゲーション制御情報によってキャリアをアグリゲーションした後、応答メッセージを送信する。端末１４０５は、アグリゲーションされた下りリンクキャリアの制御チャネルを監視し、ネットワーク１４１０の指示によりアグリゲーションされた下りリンクキャリア或いは上りリンクキャリアでデータを送受信し、ＨＡＲＱフィードバック情報を送受信する。
ステップＳ１４２５で端末１４０５は、任意の下りリンクキャリアを介して任意の上りリンクキャリアに対する上りリンクの送信リソース割当信号を受信する。前記上りリンクの送信リソース割当信号には、端末１４０５が上りリンクの送信を行う送信リソースと、上りリンクの送信に適用するＭＣＳレベル等に関連する情報が含まれてもよい。ステップＳ１４２７で端末１４０５は、前記上りリンクの送信を行う上りリンクキャリアとパスロスの側面でどの下りリンクキャリアが関連しているかを確認し、所定の規則を用いて前記関連するキャリアのうち１つのキャリアを選択する。ステップＳ１４３０で端末１４０５は、前記選択された下りリンクキャリアのパスロスを用いて上りリンク送信出力を計算する。パスロスの側面で関連する複数の下りリンクキャリアのうち１つの下りリンクキャリアを選択する規則には、下のような規則がありえる。
【００６７】
＜規則１＞
−関連する下りリンクキャリアのうち活性化した下りリンクキャリアを優先的に選択。
−活性化した下りリンクキャリアが複数であれば、活性化したキャリアのうち１つのキャリアを無作為で選択。
−活性化した下りリンクキャリアがなければ、最も最近に基準信号強度（ＲＳＲＰ、Ｒｅｆｅｒｅｎｃｅ  Ｓｉｇｎａｌ  Ｒｅｃｅｉｖｅｄ  Ｐｏｗｅｒ）を測定した下りリンクキャリアを選択。
【００６８】
任意の下りリンクキャリアは、所定の制御メッセージによってアグリゲーションされ、その後、基地局が活性化を命令すればデータ送受信に使用される。したがって、任意の端末にアグリゲーションされた下りリンクキャリアは、活性化した下りリンクキャリアと、活性化していない下りリンクキャリアに区分される。活性化した下りリンクキャリアの場合、活性化していない下りリンクキャリアに比べてチャネル状態がより頻繁に測定されるため、活性化していない下りリンクキャリアに比べて測定されたチャネル状態の正確度が高い。参考に、チャネル状態は、具体的に基準信号の強度によって決定され、基準信号強度は、パスロス値と密接な関係を有する。任意の下りリンクキャリアの基準信号強度は、前記キャリアのセル基準信号（Ｃｅｌｌ  Ｒｅｆｅｒｅｎｃｅ  Ｓｉｇｎａｌ）の信号強度値である。
【００６９】
＜規則２＞
−関連する下りリンクキャリアのうちＲＳＲＰ測定の正確性が最も高いと期待される下りリンクキャリアを選択。
−ＲＳＲＰ測定の正確性が最も高いと期待される下りリンクキャリアが複数存在すれば、これらのうち１つを無作為で選択。
【００７０】
ＲＳＲＰ測定は、通常的に定められた周期毎に行われ、ＲＳＲＰ測定周期が小さいほど測定の正確性が高くなる。したがって、規則２は、ＲＳＲＰ測定周期が小さい下りリンクキャリアを優先的に選択することを意味する。
図１５は、本発明の第３実施形態に係る上りリンク送信出力制御過程を示すフローチャートである。
ステップＳ１５０５において、端末１４０５にアグリゲーションされた上りリンクキャリアのうち１つの上りリンクキャリアを介して上りリンクの送信を行わなければならない必要性が感知される。前記必要性は、例えば、前記上りリンクキャリアに対する上りリンクの送信リソース割当信号を受信した時に発生する。ステップＳ１５１０で端末１４０５は、前記上りリンクキャリアとパスロスの側面で関連する下りリンクキャリアを識別する。任意の上りリンクキャリアと関連する下りリンクキャリアは、呼設定過程やキャリアアグリゲーション過程でネットワーク１４１０によって通知される。ステップＳ１５１５で端末１４０５は、パスロスの側面で関連する下りリンクキャリアのうち１つを選択する。前記選択は、所定の規則によって行われ、例えば、＜規則１＞や＜規則２＞が適用されてもよい。ステップＳ１５２０で端末１４０５は、前記選択された下りリンクキャリアのパスロスを用いて上りリンク送信出力を決定する。
【００７１】
＜第４実施形態＞
本発明の第４実施形態では、１つの下りリンクキャリアのパスロスを用いて全ての上りリンクキャリアの上りリンク送信出力を決定する方法及び装置を提示する。
上述したように、下りリンクキャリアのパスロスは、上りリンクキャリアのチャネル状態を推定するのに利用される。ただし、下りリンクキャリアと上りリンクキャリアは、位置する周波数帯域が互いに異なるので、下りリンクキャリアのパスロスを用いて上りリンクキャリアのチャネル状態を正確に推定することは不可能であり、周波数帯域の差異に因るチャネル状態の差異を補正するために、上りリンク送信出力の決定時に、端末は、下りリンクキャリアのパスロス値に所定の定数を合算した値を考慮する。本発明の第４実施形態では、１つの下りリンクキャリアを用いて多様な周波数帯域に位置した上りリンクキャリアの上りリンク送信出力を算出できるように、基地局は、端末に上りリンクキャリアをアグリゲーションしながら、前記上りリンクキャリアの送信出力計算時に利用する補正定数を上りリンクキャリア別に共にシグナリングする。前記補正定数は、該当上りリンクキャリアと基準下りリンクキャリアとの間の周波数距離によって決定される。例えば、前記補正定数は、上りリンクキャリアの中心周波数及び基準下りリンクキャリアの中心周波数との間の差異に比例するように決定される。
【００７２】
図１６は、本発明の第４実施形態に係る上りリンク送信出力制御過程を示すフローチャートである。
ステップＳ１６００で端末は、呼設定過程やキャリアアグリゲーション過程を通じて下りリンクキャリアのうち基準下りリンクキャリアを識別する。前記基準下りリンクキャリアは、上りリンクキャリアの送信出力時に利用されるパスロスを提供するキャリアであって、常に活性化した状態を維持しており、アンカーキャリア（ａｎｃｈｏｒ  ｃａｒｒｉｅｒ）ともいう。
ステップＳ１６０５で端末は、アグリゲーションされた上りリンクキャリアのうち１つの上りリンクキャリアを介して上りリンクの送信を行わなければならない必要性を感知する。前記必要性は、例えば、前記上りリンクキャリアに対する上りリンクの送信リソース割当信号を受信した時に発生する。ステップＳ１６１０で端末は、前記上りリンクキャリアに対応する補正定数を抽出する。上述したように、端末は、基地局から各上りリンクキャリアに対応する補正定数をシグナリング受ける。実施形態によって、端末は、補正定数を基地局からシグナリング受けずに、直接計算して抽出してもよい。上述したように、補正定数は、該当上りリンクキャリアと基準下りリンクキャリアとの間の周波数距離によって決定される。例えば、前記補正定数は、上りリンクキャリアの中心周波数と基準下りリンクキャリアの中心周波数との間の差異に比例するように決定される。ステップＳ１６１５で端末は、基準下りリンクキャリアのパスロスと該当上りリンクキャリアの補正定数を用いて上りリンク送信出力を決定する。上りリンク送信出力は、例えば、下数式２を用いて計算する。
【００７３】
上りリンク送信出力＝  ＭＩＮ［ＰＣＭＡＸ、Ｐｒｅｑｕｉｒｅｄ］・・・（数式２）
【００７４】
ここで、ＰＣＭＡＸは、数式１と同様にネットワークが許容する最大送信出力である。
ここで、Ｐｒｅｑｕｉｒｅｄは、下の数式３を用いて計算する。
【００７５】
Ｐｒｅｑｕｉｒｅｄ＝（上りリンクの送信時に用いるリソース量に関連する値）＋（上りリンクの送信時に適用するＭＣＳに関連する値）＋（送信出力調整変数）＋（該当上りリンクキャリアのα）×（基準下りリンクキャリアのパスロス）＋（該当上りリンクキャリアの補正定数）・・・（数式３）
【００７６】
前記上りリンクの送信時に用いるリソース量に関連する値は、リソースの量と一対一に対応して決められた値である。前記上りリンクの送信時に適用するＭＣＳに関連する値は、ＭＣＳレベルと一対一に対応して決められた値である。補正定数およびαは、上りリンクキャリア別にシグナリングされる値であり、上りリンクキャリアと下りリンクキャリアの周波数差異などを補正する用途に用いられる。
【００７７】
図１７は、本発明の第３実施形態または第４実施形態に係る端末のブロック構成図である。
図１７を参照すると、端末は、送受信機１７０５、上りリンク送信出力制御部１７１０、マルチプレクサー／デマルチプレクサー１７２０、上位レイヤ装置１７２５，１７３０、及び制御メッセージ処理部１７３５を含む。
【００７８】
まず、第３実施形態による場合を説明する。
送受信機１７０５は、上りリンクキャリア及び下りリンクキャリアを介してデータ及び制御信号を送受信する。送受信機１７０５は、ネットワークからパスロスの側面で上りリンクキャリアに関連する下りリンクキャリアの情報を受信し、これを制御メッセージ処理部１７３５に伝達する。
制御メッセージ処理部１７３５は、送受信機１７０５が受信したパスロスの側面で上りリンクキャリアに関連する下りリンクキャリアの情報を解釈し、上りリンク送信出力制御部１７１０に伝達する。
【００７９】
上りリンク送信出力制御部１７１０は、制御メッセージ処理部１７３５から受信した情報を用いて、パスロスの側面で上りリンクキャリアに関連する下りリンクキャリアを識別する。上りリンク送信出力制御部１７１０は、前記識別された下りリンクキャリアのうちパスロスを用いる下りリンクキャリアを選択し、前記選択された下りリンクキャリアのパスロスを用いて前記上りリンクキャリアの送信出力を決定する。上りリンクキャリアの送信出力を決定するために、数式１を利用してもよい。上りリンク送信出力制御部１７１０が行う作業の詳細な過程は、図１４及び図１５を参照して上述した通りである。送受信機１７０５は、決定された送信出力で上りリンクキャリアを介してデータなどを送信する。
マルチプレクサー／デマルチプレクサー１７２０及び上位レイヤ装置１７２５，１７３０の役割及び構成は、図１３を参照して上述した通りである。
【００８０】
次に、第４実施形態による場合を説明する。
送受信機１７０５は、上りリンクキャリア及び下りリンクキャリアを介してデータ及び制御信号を送受信する。送受信機１７０５は、ネットワークから基準下りリンクキャリアの情報及び上りリンクキャリアに対応する補正定数情報を受信し、これを制御メッセージ処理部１７３５に伝達する。
制御メッセージ処理部１７３５は、送受信機１７０５が受信した基準下りリンクキャリアの情報及び上りリンクキャリアに対応する補正定数情報を解釈し、上りリンク送信出力制御部１７１０に伝達する。
【００８１】
上りリンク送信出力制御部１７１０は、制御メッセージ処理部１７３５から受信した情報を用いて基準下りリンクキャリアを識別し、上りリンクキャリアに対応する補正定数を抽出する。上りリンク送信出力制御部１７１０は、基準下りリンクキャリアのパスロス及び上りリンクキャリアに対応する補正定数を用いて、前記上りリンクキャリアの送信出力を決定する。上りリンクキャリアの送信出力を決定するために、数式２及び数式３を利用してもよい。上りリンク送信出力制御部１７１０が行う作業の詳細な過程は、図１６を参照して上述した通りである。送受信機１７０５は、決定された送信出力で上りリンクキャリアを介してデータなどを送信する。
マルチプレクサー／デマルチプレクサー１７２０及び上位レイヤ装置１７２５，１７３０の役割及び構成は、図１３を参照して上述した通りである。
【００８２】
このとき、処理フローチャートの各ブロックとフローチャートの組合せは、コンピュータプログラム命令によって行われることを理解できるはずである。これらコンピュータプログラム命令は、汎用コンピュータ、専用コンピュータ又はその他プログラム可能なデータプロセシング装備のプロセッサに搭載されるので、コンピュータ又はその他プログラム可能なデータプロセシング装備のプロセッサによって行われるその命令が、フローチャートブロックで説明された機能を行う手段を生成するようになる。これらコンピュータプログラム命令は、特定方式で機能を実現するために、コンピュータ又はその他プログラム可能なデータプロセシング装備を指向できるコンピュータ利用可能またはコンピュータ読み取り可能なメモリに格納されることができるので、そのコンピュータ利用可能またはコンピュータ読み取り可能なメモリに格納された命令は、フローチャートブロックで説明された機能を行う命令手段を含む製造品目を生産することも可能である。コンピュータプログラム命令は、コンピュータ又はその他プログラム可能なデータプロセシング装備上に搭載されることも可能であるため、コンピュータ又はその他プログラム可能なデータプロセシング装備上で一連の動作ステップが行われ、コンピュータで実行されるプロセスを生成してコンピュータ又はその他プログラム可能なデータプロセシング装備を行う命令は、フローチャートブロックで説明された機能を実行するためのステップを提供することも可能である。
【００８３】
また、各ブロックは、特定された論理的機能を実行するための１つ以上の実行可能な命令を含むモジュール、セグメントまたはコードの一部を示す。また、複数の代替実行例では、ブロックで言及された機能が順序を外れて発生し得ることに注目しなければならない。例えば、続けて示されている２つのブロックは、実質的に同時に行われてもよく、または、そのブロックが時々該当する機能により逆順に行われてもよい。
【００８４】
このとき、本実施形態で使用される「〜部」という用語は、ソフトウェアまたはＦＰＧＡまたはＡＳＩＣのようなハードウェア構成要素を意味し、「〜部」はある役割を行う。しかしながら、「〜部」は、ソフトウェアまたはハードウェアに限定される意味ではない。「〜部」は、アドレッシングできる格納媒体にあるように構成されてもよく、１つ又はそれ以上のプロセッサを再生させるように構成されてもよい。したがって、例えば、「〜部」は、ソフトウェア構成要素、オブジェクト指向ソフトウェア構成要素、クラス構成要素、及びタスク構成要素のような構成要素と、プロセス、関数、属性、プロシージャ、サブルーチン、プログラムコードのセグメント、ドライバ、ファームウェア、マイクロコード、回路、データ、データベース、データ構造、テーブル、アレイ、及び変数を含む。構成要素と「〜部」で提供される機能は、さらに小さい数の構成要素及び「〜部」で結合されたり、追加的な構成要素と「〜部」でさらに分離される。それだけでなく、構成要素及び「〜部」は、デバイスまたは保安マルチメディアカード内の１つまたはそれ以上のＣＰＵを再生させるように実現される。
【００８５】
本発明が属する技術分野の通常の知識を有する者は、本発明がその技術的思想や必須の特徴を変更せずに、他の具体的な形態で実施されることを理解できるはずである。したがって、上述した実施形態は、全ての面で例示的なものであり、限定的ではない。本発明の範囲は、上記した詳細な説明よりは後述する特許請求範囲によって現われ、特許請求範囲の意味及び範囲、その均等概念から導出される全ての変更または変形された形態が、本発明の範囲に含まれるものと解釈されなければならない。
【００８６】
一方、本明細書と図面には本発明の好ましい実施形態について開示し、特定用語が使用されたが、これは単に本発明の技術内容を容易に説明して発明の理解を助けるための一般的な意味として使用されたもので、本発明の範囲を限定しようとするものではない。ここに開示された実施形態の他にも本発明の技術的思想に基づいた他の変形例が実施可能であることは、本発明が属する技術分野で通常の知識を有する者に自明である。
【符号の説明】
【００８７】
１３０５，１７０５  送受信機
１３１０，１７１０  上りリンク送信出力制御部
１３１５  ＴＰＣ処理部
１３２０，１７２０  マルチプレクサー／デマルチプレクサー
１３２５，１３３０，１７２５，１７３０  上位レイヤ装置
１３３５，１７３５  制御メッセージ処理部
【図１】
0006054433.tif 000024
【図２】
0006054433.tif 000025
【図３】
0006054433.tif 000026
【図４】
0006054433.tif 000027
【図５】
0006054433.tif 000028
【図６】
0006054433.tif 000029
【図７】
0006054433.tif 000030
【図８】
0006054433.tif 000031
【図９】
0006054433.tif 000032
【図１０】
0006054433.tif 000033
【図１１】
0006054433.tif 000034
【図１２】
0006054433.tif 000035
【図１３】
0006054433.tif 000036
【図１４】
0006054433.tif 000037
【図１５】
0006054433.tif 000038
【図１６】
0006054433.tif 000039
【図１７】
0006054433.tif 000040